(57)【要約】音声再生装置は、音場内の２つのスピーカから１チャンネルの信号を再生する。１チャンネルの入力信号は、遅延手段により遅延される。遅延手段は、入力信号を、複数の帯域毎に異なる遅延量で遅延する。２つのスピーカのうち一方のスピーカには、遅延手段により遅延された信号が出力され、他方のスピーカには入力信号がそのまま出力される。
2009144781.tif 000002
【特許請求の範囲】
【請求項１】
音場内に配置された２つのスピーカに接続された音声再生装置であって、
１チャンネルの入力信号を受け取る入力手段と、
前記入力信号を遅延する遅延手段と、
前記遅延手段により遅延された入力信号を前記２つのスピーカのうちの一方のスピーカに出力し、前記入力手段が受け取った入力信号を前記２つのスピーカのうちの他方のスピーカに出力する出力手段と、を備え、
前記遅延手段は、前記入力信号に対して、複数の帯域毎に異なる遅延量で遅延を与えることを特徴とする音声再生装置。
【請求項２】
前記遅延手段は、前記２つのスピーカから出力される音声について、前記音場内の１つの聴取位置における音圧と、他の聴取位置における音圧との差がゼロとなるように前記入力信号を遅延することを特徴とする請求項１に記載の音声再生装置。
【請求項３】
前記遅延手段は、前記２つのスピーカから出力される音声について、前記音場内の１つの聴取位置における音圧と、他の聴取位置における音圧との差が最大となるように前記入力信号を遅延することを特徴とする請求項１に記載の音声再生装置。
【請求項４】
前記遅延手段は、周波数が高い帯域ほど遅延量を大きくすることを特徴とする請求項１乃至３のいずれか一項に記載の音声再生装置。
【請求項５】
前記一方のスピーカは前記音場において聴取位置から近いほうのスピーカであり、前記他方のスピーカは前記聴取位置から遠いほうのスピーカであることを特徴とする請求項１に記載の音声再生装置。
【請求項６】
前記遅延手段は、
前記入力信号を前記複数の帯域に分割する帯域分割部と、
前記帯域分割手段により分割された複数の帯域の信号に対して、異なる遅延量で遅延を与える遅延部と、を備えることを特徴とする請求項１乃至５のいずれか一項に記載の音声再生装置。
【請求項７】
音場内に配置された２組のスピーカに接続された音声再生装置であって、
２チャンネルの入力信号を受け取る入力手段と、
前記２チャンネルの入力信号をそれぞれ遅延する遅延手段と、
前記２組のスピーカのそれぞれについて、前記遅延手段により遅延された入力信号を一方のスピーカに出力し、前記入力手段が受け取った入力信号を他方のスピーカに出力する出力手段と、を備え、
前記遅延手段は、前記入力信号に対して、当該入力信号が有する複数の帯域毎に異なる遅延量で遅延を与えることを特徴とする音声再生装置。
【請求項８】
前記遅延手段は、前記２組のスピーカから出力される音声それぞれについて、前記音場内の１つの聴取位置における音圧と、他の聴取位置における音圧との差がゼロとなるように前記入力信号を遅延することを特徴とする請求項７に記載の音声再生装置。
【請求項９】
前記遅延手段は、前記２組のスピーカから出力される音声それぞれについて、前記音場内の１つの聴取位置における音圧と、他の聴取位置における音圧との差が最大となるように前記入力信号を遅延することを特徴とする請求項７に記載の音声再生装置。
【発明の詳細な説明】
【技術分野】
【０００１】
本発明は、複数のスピーカにより音声を再生する音声再生装置に関する。
【背景技術】
【０００２】
車載用のオーディオ再生装置では、左右のスピーカが聴取者に対して左右非対称な場所に取り付けられている。例えば、運転席では右スピーカの音（ステレオ右信号）が大きく、左スピーカの音（ステレオ左信号）が小さく聞こえる。良好なステレオ感を得るためには、左右のスピーカからの音圧レベルのバランスを等しくする必要がある。運転席において左右の音圧レベルのバランスを等しくするために左スピーカの音をアンプにより大きくすると、助手席においては左スピーカの音がさらに大きくなってしまう。よって、運転席及び助手席で左右スピーカの音圧レベルのバランスを整える技術が求められている。【０００３】
このような観点から、特許文献１では、スピーカの指向性を利用することで、運転席及び助手席において帯域毎にほぼ同じ音圧レベルを実現している。しかし、特許文献１の手法は以下の問題を有する。【０００４】
第１の問題は、所望の特性が得られるのが、３ｋＨｚ以上という低い周波数の帯域に限られることである。第２の問題は、この手法がスピーカの特性に依存するため、車種やスピーカレイアウトの変換に柔軟に対応できないことである。【０００５】
【特許文献１】特開平５−１６１１９２号公報
【発明の開示】
【発明が解決しようとする課題】
【０００６】
本発明が解決しようとする課題としては、上記のようなものが例として挙げられる。本発明は、左右の席において同一の音圧レベルで音声を再生することができ、高い周波数帯域においても効果があり、スピーカレイアウトの変化にも柔軟に対応できる音声再生装置を提供することを課題とする。
【課題を解決するための手段】
【０００７】
請求項１に記載の発明は、音場内に配置された２つのスピーカに接続された音声再生装置であって、１チャンネルの入力信号を受け取る入力手段と、前記入力信号を遅延する遅延手段と、前記遅延手段により遅延された入力信号を前記２つのスピーカのうちの一方のスピーカに出力し、前記入力手段が受け取った入力信号を前記２つのスピーカのうちの他方のスピーカに出力する出力手段と、を備え、前記遅延手段は、前記入力信号に対して、複数の帯域毎に異なる遅延量で遅延を与えることを特徴とする。【０００８】
請求項７に記載の発明は、音場内に配置された２組のスピーカに接続された音声再生装置であって、２チャンネルの入力信号を受け取る入力手段と、前記２チャンネルの入力信号をそれぞれ遅延する遅延手段と、前記２組のスピーカのそれぞれについて、前記遅延手段により遅延された入力信号を一方のスピーカに出力し、前記入力手段が受け取った入力信号を他方のスピーカに出力する出力手段と、を備え、前記遅延手段は、前記入力信号に対して、当該入力信号が有する複数の帯域毎に異なる遅延量で遅延を与えることを特徴とする。
【図面の簡単な説明】
【０００９】
【図１】実施例に係るスピーカレイアウトを模式的に示す。
【図２】音声再生装置の構成を示すブロック図である。
【図３】運転席及び助手席における音圧レベルの分布を示す。
【図４】運転席と助手席の音圧レベル差を示す。
【図５】第１実施例における周波数帯域毎の最適な遅延量を示す。
【図６】周波数帯域毎の運転席と助手席の音圧レベル差を示す。
【図７】第２実施例における遅延量線分を示す。
【図８】第２実施例における右チャンネル信号の最適な遅延量を示す。
【図９】第２実施例における左チャンネル信号の最適な遅延量を示す。
【符号の説明】
【００１０】
５Ｌ、５Ｒ  入力信号
６Ｌ、６Ｒ  ミキサ
７Ｌ、７Ｒ  １ｃｈ処理部
８Ｒ  帯域分割部
９Ｒ  遅延部
【発明を実施するための最良の形態】
【００１１】
本発明の好適な実施形態では、音場内に配置された２つのスピーカに接続された音声再生装置は、１チャンネルの入力信号を受け取る入力手段と、前記入力信号を遅延する遅延手段と、前記遅延手段により遅延された入力信号を前記２つのスピーカのうちの一方のスピーカに出力し、前記入力手段が受け取った入力信号を前記２つのスピーカのうちの他方のスピーカに出力する出力手段と、を備え、前記遅延手段は、前記入力信号に対して、複数の帯域毎に異なる遅延量で遅延を与える。【００１２】
上記の音声再生装置は、音場内の２つのスピーカから１チャンネルの信号を再生する。１チャンネルの入力信号は、遅延手段により遅延される。遅延手段は、入力信号を、複数の帯域毎に異なる遅延量で遅延する。２つのスピーカのうち一方のスピーカには、遅延手段により遅延された信号が出力され、他方のスピーカには入力信号がそのまま出力される。【００１３】
上記の音声再生装置の一態様では、前記遅延手段は、前記２つのスピーカから出力される音声について、前記音場内の１つの聴取位置における音圧と、他の聴取位置における音圧との差がゼロとなるように前記入力信号を遅延する。【００１４】
上記の音声再生装置の他の一態様では、前記遅延手段は、前記２つのスピーカから出力される音声について、前記音場内の１つの聴取位置における音圧と、他の聴取位置における音圧との差が最大となるように前記入力信号を遅延する。【００１５】
好適な例では、前記遅延手段は、周波数が高い帯域ほど遅延量を大きくする。また、他の好適な例では、前記一方のスピーカは前記音場において聴取位置から近いほうのスピーカであり、前記他方のスピーカは前記聴取位置から遠いほうのスピーカである。【００１６】
好適な例では、前記遅延手段は、前記入力信号を前記複数の帯域に分割する帯域分割部と、前記帯域分割手段により分割された複数の帯域の信号に対して、異なる遅延量で遅延を与える遅延部と、を備える。【００１７】
本発明の他の好適な実施形態では、音場内に配置された２組のスピーカに接続された音声再生装置は、２チャンネルの入力信号を受け取る入力手段と、前記２チャンネルの入力信号をそれぞれ遅延する遅延手段と、前記２組のスピーカのそれぞれについて、前記遅延手段により遅延された入力信号を一方のスピーカに出力し、前記入力手段が受け取った入力信号を他方のスピーカに出力する出力手段と、を備え、前記遅延手段は、前記入力信号に対して、当該入力信号が有する複数の帯域毎に異なる遅延量で遅延を与える。【００１８】
上記の音声再生装置は、２チャンネルの信号を２組のスピーカで再生する。即ち、１チャンネルの信号を１組のスピーカで再生し、他の１チャンネルの信号を他の１組のスピーカで再生する。各チャンネルについて、１チャンネルの入力信号は遅延手段により遅延される。遅延手段は、入力信号を、複数の帯域毎に異なる遅延量で遅延する。また、各チャンネルについて、２つのスピーカのうち一方のスピーカには、遅延手段により遅延された信号が出力され、他方のスピーカには入力信号がそのまま出力される。【００１９】
上記の音声再生装置の一態様では、前記遅延手段は、前記２組のスピーカから出力される音声それぞれについて、前記音場内の１つの聴取位置における音圧と、他の聴取位置における音圧との差がゼロとなるように前記入力信号を遅延する。【００２０】
上記の音声再生装置の他の一態様では、前記遅延手段は、前記２組のスピーカから出力される音声それぞれについて、前記音場内の１つの聴取位置における音圧と、他の聴取位置における音圧との差が最大となるように前記入力信号を遅延する。
【実施例】
【００２１】
以下、図面を参照して本発明の好適な実施例について説明する。【００２２】
［第１実施例］
図１に、第１実施例の音声再生装置に係るスピーカレイアウトを示す。図１は、車内におけるスピーカ及び聴取者（リスナ）位置を模式的に示す。車内にはフロント右（Ｒ）スピーカＦＲ、リア右（Ｒ）スピーカＲＲ、フロント左（Ｌ）スピーカＦＬ、リア左（Ｌ）スピーカＲＬの合計４つのスピーカが配置される。また、運転席は右スピーカ寄りにあり、助手席は左スピーカ寄りにある。４つのスピーカ、運転席及び助手席の位置関係は図１に示す数値の通りである。【００２３】
図示のように、運転席は、フロント右スピーカＦＲとリア右スピーカＲＲを結ぶ線分に対して垂直な線分Ｌ１上に存在する。また、助手席は、フロント左スピーカＦＬとリア左スピーカＲＬを結ぶ線分に対して垂直な線分Ｌ２上に存在する。ここで、本実施例では、線分Ｌ１と線分Ｌ２は延長線上にあり、よって運転席と助手席は同一線上にある。即ち、運転席と助手席は、ともに２つの右スピーカを結ぶ線分と垂直な線分Ｌ１上にあり、かつ、２つの左スピーカを結ぶ線分と垂直な線分Ｌ２上にある。なお、運転席及び助手席は本発明における聴取位置に相当する。【００２４】
図２（ａ）は、第１実施例の音声再生装置の構成を概略的に示す。右スピーカ用の入力信号５Ｒは、１ｃｈ処理部７Ｒへ入力される。１ｃｈ処理部７Ｒは、入力信号５Ｒに対して遅延制御処理を行い、フロント右スピーカＦＲ及びリア右スピーカＲＲへ供給する。同様に、左スピーカ用の入力信号５Ｌは、１ｃｈ処理部７Ｌへ入力される。１ｃｈ処理部７Ｌは、入力信号５Ｌに対して遅延制御処理を行い、フロント左スピーカＦＬ及びリア左スピーカＲＬへ供給する。【００２５】
右スピーカ用の１ｃｈ処理部７Ｒの構成を図２（ｂ）に示す。１ｃｈ処理部７Ｒは、ミキサ６Ｒと、帯域分割部８Ｒと、遅延部９Ｒとを備える。１ｃｈ処理部７Ｒでは、まず、入力信号５Ｒは、信号処理を施されることなく、直接リア右スピーカＲＲへ出力される。また、入力信号５Ｒは帯域分割部８Ｒにも供給される。帯域分割部８Ｒは複数の帯域分割フィルタなどを備え、入力信号５Ｒを所定の複数帯域の信号に分割する。具体的に、帯域分割部８Ｒは、各帯域幅を１／３オクターブとし、各帯域の中心周波数ｆ（１）〜ｆ（Ｎ）を２５０Ｈｚ〜２ｋＨｚとする。【００２６】
分割された各帯域の信号は、遅延部９Ｒへ送られる。遅延部９Ｒは、各帯域の信号に対して異なる遅延量の遅延を与え、ミキサ６Ｒへ出力する。ミキサ６Ｒは、遅延部９Ｒにより帯域毎に異なる遅延が与えられた信号を合成し、フロント右スピーカＦＲへ出力する。【００２７】
左スピーカ用の１ｃｈ処理部７Ｌの構成は基本的に右スピーカ用の１ｃｈ処理部７Ｒと同一である。即ち、１ｃｈ処理部７Ｌは、入力信号５Ｌを所定の複数の帯域に分割し、帯域毎に異なる遅延を与えてフロント左スピーカＦＬへ出力する。同時に、１ｃｈ処理部７Ｌは、入力信号５Ｌをそのままリア左スピーカＲＬへ出力する。【００２８】
上記の１ｃｈ処理部７Ｒを動作させ、各帯域の遅延量を変えたときの運転席での音圧分布を図３（ａ）に示す。なお、図３（ａ）は音圧値（ｄＢ）を等高線により示している。縦軸は周波数であり、横軸は遅延量である。図示のように、遅延量が約１ｍｓｅｃのときに全帯域にわたり音圧が大きくなっている（０〜−２ｄＢ）。即ち、遅延量が約１ｍｓｅｃのときに、フロント右スピーカＦＲとリア右スピーカＲＲの距離差が遅延によりちょうど補正され、２つのスピーカから出力される音が最も強め合っていることがわかる。【００２９】
一方、上記の１ｃｈ処理部７Ｒを動作させ、各帯域の遅延量を変えたときの助手席での音圧分布を図３（ｂ）に示す。図３（ｂ）も音圧値（ｄＢ）を等高線により示している。縦軸は周波数であり、横軸は遅延量である。図示のように、遅延量が約０．７ｍｓｅｃのときに全帯域にわたり音圧が大きくなっている（−２〜−４ｄＢ）。助手席では運転席と比べて、フロント右スピーカＦＲまでの距離とリア右スピーカＲＲまでの距離との差が小さいため、運転席よりも小さい遅延量で高い音圧が得られている。【００３０】
次に、図３（ａ）の音圧分布から図３（ｂ）の音圧分布を減算したものを図４に示す。即ち、図４は、（運転席−助手席）の音圧分布である。図４において、音圧値がほぼゼロとなる点、即ち運転席と助手席の音圧がほぼ等しくなる点が作る線分を複数の破線７０で示す。図示のように、運転席と助手席の音圧がほぼ等しくなる線分は周期的に複数存在する。このうち、（１）最も音圧が大きくなる、及び、（２）広い周波数帯域をカバーしている、という条件を考慮し、線分７０ｘを、遅延量を決定するための線分（以下、「遅延量線分」と呼ぶ。）と決定する。遅延量線分７０ｘは、運転席と助手席の音圧がほぼ等しくなる（音圧差がゼロとなる）場合の各周波数帯域の遅延量を与える。【００３１】
遅延量線分７０ｘに基づいて定められた各周波数帯域の最適遅延量を図５（ａ）に示す。図５（ａ）では、横軸が周波数を示し、縦軸が最適遅延量を示す。さらに、図５（ａ）に示す最適遅延量を位相（ｒａｄｉａｎ）に変換し、対数周波数でプロットしたものを図５（ｂ）に示す。最適遅延量は、対数周波数に対してほぼ直線的に増加することがわかる。なお、図５（ｂ）は、最適遅延量の線分を直線近似したものを併せて示す。直線近似により得られた直線は、
ｐ（ｆ）  ＝  ａ＊ｌｏｇ１０（ｆ）＋ｂ                      （式１）
なお、ａ＝１３．８、ｂ＝−３６．５、ｐ：位相［ｒａｄｉａｎ］、ｆ：周波数［Ｈｚ］である。【００３２】
以上より、図５（ｂ）に示す周波数と遅延量の特性に従って、図２に示す１ｃｈ処理部７Ｒにおける遅延部９Ｒの各帯域の遅延量を決定すれば、フロント右スピーカＦＲ及びリア右スピーカＲＲから出力された音声が、運転席と助手席とで同じレベルで聴こえることになる。【００３３】
図６は、上記の遅延制御処理を行った場合と行わない場合における運転席と助手席の音圧レベルの差を示す。横軸は周波数を示し、縦軸は運転席と助手席の音圧レベル差を示す。なお、グラフ７１（処理前）は遅延制御処理を行わない場合の音圧レベル差を示し、グラフ７２（処理後）は遅延制御処理を行った場合の音圧レベル差を示す。グラフ７１が示すように、遅延制御処理を行わない場合は、周波数毎に音圧レベル差が大きく、最大で１２ｄＢ程度の差が生じている。これに対し、グラフ７２が示すように、遅延制御処理を行った場合は、どの周波数でも音圧レベル差は２ｄＢ以内に抑えられている。【００３４】
上記の説明において、図３乃至図６に示す特性はいずれも図１に示すスピーカレイアウトの場合のものであるが、スピーカレイアウトが変わっても、同様の手法により、遅延制御処理を行うことができる。スピーカレイアウトが変わると、フロントスピーカ及びリアスピーカから運転席及び助手席までの距離が変わることになるが、その場合は、図３（ａ）に示す運転席の音圧分布及び図３（ｂ）に示す助手席の音圧分布において、横軸の遅延量が変化するだけである。よって、演算により求めた（運転席−助手席）の音圧分布において、遅延量線分は図４と同様にグラフ中央上部から左右下方へ向かう線分となり、遅延量線分から求められる最適遅延量の特性は、全体としては図５（ｂ）と同様に右上がりの傾向となる。従って、本実施例の手法は、スピーカレイアウトが異なる車両についても普遍的に適用することができる。【００３５】
以上の説明は右スピーカについてのものであるが、左スピーカについても同様に遅延制御処理を行い、周波数帯域毎の遅延量を設定することができる。即ち、２つの左スピーカについても、運転席の音圧分布及び助手席の音圧分布を測定し、減算により（運転席−助手席）の音圧分布を生成し、その分布上で音圧レベル差がほぼゼロとなる最適遅延量を取得する。そして、最適遅延量に基づいて周波数帯域毎の遅延量を決定すればよい。【００３６】
本実施例の手法はフロントスピーカの時間のみを調整するため、車両の後部座席へはフロントスピーカからの音がさらに遅れ、距離の分だけ減衰して到達する。そのため、前方座席（運転席及び助手席）で起こっているような音の干渉は起こりにくい。よって、後部座席に座っている者は、主に何も処理していないリアスピーカからの音声によりステレオ再生を楽しむことができる。また、本実施例の手法は、イコライザのように電気的に周波数特性を変化させるものではないため、車内のどの座席においても高音質で音楽を楽しむことができる。【００３７】
［第２実施例］
第２実施例において、スピーカレイアウトは図１に示すものと同様であり、装置構成は図２に示すものと同じである。【００３８】
上記の第１実施例では、運転席と助手席の音圧レベルが等しくなるように遅延量を制御した。これに対し、第２実施例では、運転席と助手席の音圧レベル差が最大となるように遅延量を制御する。【００３９】
図７は、図４と同じ図であり、第１実施例と同様の構成でフロント右スピーカＦＲ及びリア右スピーカＲＲから信号を出力した場合の運転席と助手席の音圧差を示す。ここで、運転席と助手席の音圧差（運転席−助手席）が最大となる点を結んだ線分が遅延量線分８０である。即ち、遅延量線分８０に基づいて各周波数帯域の遅延量を決定すれば、２つの右スピーカから出力される音声について、運転席と助手席の音圧差を最大とすることができる。【００４０】
図８（ａ）は、遅延量線分８０に基づいて決定した最適遅延量（ｒａｄｉａｎ）を示す。図８（ａ）は横軸が周波数を示す対数軸であり、縦軸が最適遅延量を示す。なお、図８（ａ）は、最適遅延量のプロットに基づいて得られた直線近似線分も示す。この直線近似線分は以下の式で示される。【００４１】
ｐ（ｆ）＝ａ＊ｌｏｇ１０（ｆ）＋ｂ                                （式２）
なお、ａ＝９．３、ｂ＝−２０．０である。【００４２】
図８（ａ）に従って各周波数帯域の遅延量を決定すれば、２つの右スピーカＦＲ及びＲＲから出力される音声の音圧レベルが運転席で最大となる。【００４３】
図８（ｂ）は、上記の処理を行った場合と行わない場合における運転席と助手席の音圧レベル差を示す。上記の処理を行わない場合、グラフ８３が示すように、運転席と助手席の音圧レベル差は周波数帯域によって大きく異なる。これに対し、上記の処理を行った場合、グラフ８４に示すように、運転席と助手席の音圧レベル差はグラフ８３より全体的に大きく、最大で１５ｄＢ程度確保できる。【００４４】
図７に戻り、運転席と助手席の音圧差（助手席−運転席）が最大となる点を結んだ線分が遅延量線分８１である。遅延量線分８１は、（運転席−助手席）の音圧差が負の最大値となる線分である。図１に示すように、左右のスピーカは左右対称に配置されているので、遅延量線分８１は、２つの左スピーカＦＬ及びＲＬから出力される音声について、助手席における音圧レベルが最大となる線分と等価である。よって、左スピーカ用の入力信号については、遅延量線分８１に基づいて最適遅延量を決定すればよい。【００４５】
図９（ａ）は、遅延量線分８１に基づいて決定された最適遅延量（ｒａｄｉａｎ）を示す。図９（ａ）は横軸が周波数を示す対数軸であり、縦軸が最適遅延量を示す。なお、図９（ａ）は、最適遅延量のプロットに基づいて得られた直線近似線分も示す。この直線近似線分は以下の式で示される。【００４６】
ｐ（ｆ）＝ａ＊ｌｏｇ１０（ｆ）＋ｂ                                （式２）
なお、ａ＝１３．０、ｂ＝−３５．０である。【００４７】
図９（ａ）に従って各周波数帯域の遅延量を決定すれば、２つの左スピーカＦＬ及びＲＬから出力される音声の音圧レベルが助手席で最大となる。【００４８】
図９（ｂ）は、上記の処理を行った場合と行わない場合における運転席と助手席の音圧レベル差を示す。上記の処理を行わない場合、グラフ８５が示すように、運転席と助手席の音圧レベル差は周波数帯域によって大きく異なる。これに対し、上記の処理を行った場合、グラフ８６に示すように、運転席と助手席の音圧レベル差はグラフ８５より全体的に大きくなっている。【００４９】
このように、第２実施例では、運転席と助手席との音圧レベル差が最大となるように遅延量を決定することにより、左右のスピーカから出力される音声の音圧レベル差を運転席又は助手席で最大とすることができる。これにより、例えば運転席については２つの右スピーカからの音圧レベル差が最大となるようにして、カーナビゲーションの案内音声を運転席のみに聞こえるようにすることができる。
［変形例］
本発明は、２つのスピーカを結ぶ線分に対して垂直な線分上に配置された２席での音圧を等しくする装置を提供する。よって、上記の実施例のみならず、前方２つのスピーカを用いて、前後に配置される２席で音圧を等しくすることも可能である。これは、モノラル信号や５．１ｃｈサラウンドのセンター信号などを２つの前方スピーカで再生する場合に有効である。
【産業上の利用可能性】
【００５０】
本発明は、車載用オーディオ装置の音場補正に利用することができる。
【図１】
2009144781.tif 000003
【図２】
2009144781.tif 000004
【図３】
2009144781.tif 000005
【図４】
2009144781.tif 000006
【図５】
2009144781.tif 000007
【図６】
2009144781.tif 000008
【図７】
2009144781.tif 000009
【図８】
2009144781.tif 000010
【図９】
2009144781.tif 000011
【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
音場内に配置された２つのスピーカに接続された音声再生装置であって、
１チャンネルの入力信号を受け取る入力手段と、
前記入力信号を遅延する遅延手段と、
前記遅延手段により遅延された入力信号を前記２つのスピーカのうちの一方のスピーカに出力し、前記入力手段が受け取った入力信号を前記２つのスピーカのうちの他方のスピーカに出力する出力手段と、を備え、
前記遅延手段は、前記入力信号に対して、複数の帯域毎に異なる遅延量で遅延を与え、
前記遅延手段は、周波数が高い帯域ほど遅延量を大きくすることを特徴とする音声再生装置。
【請求項２】
前記遅延手段は、各帯域の移相量を対数周波数に正比例した値に設定することを特徴とする請求項１に記載の音声再生装置。
【請求項３】
前記遅延手段は、前記２つのスピーカから出力される音声について、前記音場内の１つの聴取位置における音圧と、他の聴取位置における音圧との差がゼロとなるように前記入力信号を遅延することを特徴とする請求項１又は２に記載の音声再生装置。
【請求項４】
前記遅延手段は、前記２つのスピーカから出力される音声について、前記音場内の１つの聴取位置における音圧と、他の聴取位置における音圧との差が最大となるように前記入力信号を遅延することを特徴とする請求項１又は２に記載の音声再生装置。
【請求項５】
前記一方のスピーカは前記音場において聴取位置から近いほうのスピーカであり、前記他方のスピーカは前記聴取位置から遠いほうのスピーカであることを特徴とする請求項１に記載の音声再生装置。
【請求項６】
前記遅延手段は、
前記入力信号を前記複数の帯域に分割する帯域分割部と、
前記帯域分割手段により分割された複数の帯域の信号に対して、異なる遅延量で遅延を与える遅延部と、を備えることを特徴とする請求項１乃至５のいずれか一項に記載の音声再生装置。
【請求項７】
音場内に配置された２組のスピーカに接続された音声再生装置であって、
２チャンネルの入力信号を受け取る入力手段と、
前記２チャンネルの入力信号をそれぞれ遅延する遅延手段と、
前記２組のスピーカのそれぞれについて、前記遅延手段により遅延された入力信号を一方のスピーカに出力し、前記入力手段が受け取った入力信号を他方のスピーカに出力する出力手段と、を備え、
前記遅延手段は、前記入力信号に対して、当該入力信号が有する複数の帯域毎に異なる遅延量で遅延を与え、
前記遅延手段は、周波数が高い帯域ほど遅延量を大きくすることを特徴とする音声再生装置。
【請求項８】
前記遅延手段は、各帯域の移相量を対数周波数に正比例した値に設定することを特徴とする請求項７に記載の音声再生装置。
【請求項９】
前記遅延手段は、前記２組のスピーカから出力される音声それぞれについて、前記音場内の１つの聴取位置における音圧と、他の聴取位置における音圧との差がゼロとなるように前記入力信号を遅延することを特徴とする請求項７又は８に記載の音声再生装置。
【請求項１０】
前記遅延手段は、前記２組のスピーカから出力される音声それぞれについて、前記音場内の１つの聴取位置における音圧と、他の聴取位置における音圧との差が最大となるように前記入力信号を遅延することを特徴とする請求項７又は８に記載の音声再生装置。
【手続補正２】
【補正対象書類名】明細書
【補正対象項目名】０００７
【補正方法】変更
【補正の内容】
【０００７】
請求項１に記載の発明は、音場内に配置された２つのスピーカに接続された音声再生装置であって、１チャンネルの入力信号を受け取る入力手段と、前記入力信号を遅延する遅延手段と、前記遅延手段により遅延された入力信号を前記２つのスピーカのうちの一方のスピーカに出力し、前記入力手段が受け取った入力信号を前記２つのスピーカのうちの他方のスピーカに出力する出力手段と、を備え、前記遅延手段は、前記入力信号に対して、複数の帯域毎に異なる遅延量で遅延を与え、前記遅延手段は、周波数が高い帯域ほど遅延量を大きくすることを特徴とする。
【手続補正３】
【補正対象書類名】明細書
【補正対象項目名】０００８
【補正方法】変更
【補正の内容】
【０００８】
請求項７に記載の発明は、音場内に配置された２組のスピーカに接続された音声再生装置であって、２チャンネルの入力信号を受け取る入力手段と、前記２チャンネルの入力信号をそれぞれ遅延する遅延手段と、前記２組のスピーカのそれぞれについて、前記遅延手段により遅延された入力信号を一方のスピーカに出力し、前記入力手段が受け取った入力信号を他方のスピーカに出力する出力手段と、を備え、前記遅延手段は、前記入力信号に対して、当該入力信号が有する複数の帯域毎に異なる遅延量で遅延を与え、前記遅延手段は、周波数が高い帯域ほど遅延量を大きくすることを特徴とする。
【国際調査報告】
2009144781.tif 000012
2009144781.tif 000013
2009144781.tif 000014
2009144781.tif 000015
2009144781.tif 000016
2009144781.tif 000017
2009144781.tif 000018
2009144781.tif 000019
2009144781.tif 000020